(57)【要約】【課題】  環境温度変化にともない照明光学系に変化があっても安定した光束を確保すると共に読み取り品質の高い照明装置及びそれを搭載した画像読取装置を提供する。【解決手段】  光源１と、搬送される被照射体８の読み取り幅領域の外側に中空部を有し、この中空部の一端に光源１を収納するホルダー３と、このホルダーの中空部の他端に端部が挿入され、中空部を通過する光源１からの光を読み取り幅方向に導光する略円柱状の導光路を有する導光体２と、この導光体２の導光路に沿って光を散乱反射させてから被照射体８の照射部１５に照射する導光体２の外周面に設けた光散乱層４と、中空部を形成するホルダー３の壁面とは直接又は間接的に保持され、導光体２の端部とは直接又は透過性の介在物を介して間接的に接し、膨張収縮による読み取り幅方向の導光体２の寸法変化に連動し伸縮して光を通過させる弾性部材７とを備えるようにした。【選択図】          図１
2010103742.tif 000002
【特許請求の範囲】
【請求項１】
光源と、搬送される被照射体の読み取り幅領域の外側に中空部を有し、この中空部の一端に前記光源を収納するホルダーと、このホルダーの前記中空部の他端に端部が挿入され、前記中空部を通過する前記光源からの光を読み取り幅方向に導光する略円柱状の導光路を有する導光体と、この導光体の導光路に沿って光を散乱反射させてから被照射体の照射部に照射する前記導光体の外周面の一部に形成又は密接して設けた光散乱層と、前記中空部を形成する前記ホルダーの壁面とは直接又は間接的に保持され、前記導光体の端部とは直接又は透過性の介在物を介して間接的に接し、膨張収縮による読み取り幅方向の前記導光体の寸法変化に連動し伸縮して光を通過させる弾性部材とを備えた照明装置。
【請求項２】
前記光源、前記ホルダー、前記弾性部材は、前記導光体の両側に設置されている請求項１に記載の照明装置。
【請求項３】
前記弾性部材の比誘電率は前記導光体の比誘電率より小さい請求項１又は２に記載の照明装置。
【請求項４】
前記弾性部材の読み取り幅方向外周は前記導光体の読み取り幅方向外周より小さい請求項１乃至３のいずれか１項に記載の照明装置。
【請求項５】
前記弾性部材は、透明シリコンゴム材である請求項１乃至４のいずれか１項に記載の照明装置。
【請求項６】
前記介在物の読み取り幅方向外周は前記導光体の読み取り幅方向外周より小さい請求項１乃至５のいずれか１項に記載の照明装置。
【請求項７】
前記弾性部材の両側に前記介在物が設置されている請求項１乃至６のいずれか１項に記載の照明装置。
【請求項８】
前記介在物は非弾性部材である請求項１乃至７のいずれか１項に記載の照明装置。
【請求項９】
前記介在物は接着剤である請求項１乃至７のいずれか１項に記載の照明装置。
【請求項１０】
光源と、搬送される被照射体の読み取り幅領域の外側に中空部を有し、この中空部の一端に前記光源を収納するホルダーと、このホルダーの前記中空部の他端に端部が挿入され、前記中空部を通過する前記光源からの光を読み取り幅方向に導光する略円柱状の導光路を有する導光体と、この導光体の導光路に沿って光を散乱反射させてから被照射体の照射部に光を照射する前記導光体の外周面の一部に形成又は密接して設けた光散乱層と、前記中空部を形成する壁面とは直接又は間接的に保持され、前記導光体の端部とは直接又は透過性の介在物を介して間接的に接し、膨張収縮による読み取り幅方向の前記導光体の寸法変化に連動し伸縮して光を通過させる弾性部材と、前記照射部で反射した光を収束するレンズ体と、このレンズ体で収束した光を受光する受光部を有するセンサ基板と、前記ホルダー、前記導光体、前記レンズ体、前記センサ基板を収納する筐体とを備えた画像読取装置。
【請求項１１】
前記導光体の読み取り幅略中央部に突起部を設け、この突起部と前記筐体とを嵌合した請求項１０に記載の画像読取装置。
【請求項１２】
前記導光体の読み取り幅略中央部に対して対称となる位置にそれぞれ突起部を設け、この突起部と前記筐体とを嵌合した請求項１０に記載の画像読取装置。
【発明の詳細な説明】
【技術分野】
【０００１】
この発明は、ファクシミリ、コピー機、スキャナ、紙葉類判別機などの機器に使用される照明装置、及び照明装置を搭載した画像読取装置に関する。
【背景技術】
【０００２】
一般に、画像読取装置などに使用される照明装置は、光源からの光で、線状の読取対象領域を照明するために、導光体が用いられている。従来の照明装置の導光体は、その導光体の一面を光束の射出面（以下、光出射面と記す。）とし、光出射面に対向する面に導光体端部から入射された光束を拡散や反射させる領域（以下、散乱領域と記す。）を有する。導光体の端部に配される光源からの光を導光体の長手方向に導光し、散乱領域により光を散乱させ、光出射面から光を出射して読み取り対象領域を照明する。例えば、特開平６−２１７０８４号公報図４１（特許文献１参照）には、透光性部材の膨張収縮によりＬＥＤ光源と透光性部材端面との距離が変化しても光束の損失を軽減することを考慮し、透光性部材３の端面に突出部３ａを形成し、この突出部３ａに嵌合するように延在させた反射枠８３を設けたＬＥＤ光源８を搭載した照明装置が開示されている。
【０００３】
また、特開２００２−２１８１６２号公報図７（特許文献２参照）には、安定した光量を維持して、読み取り画像の品質向上を図った密着型イメージセンサとして、導光体１０８ｃの端部に光源１０８ｂを設置し、放熱部材１０８ｇを介して筐体１０８ｆに取り付けたものが開示されている。
【０００４】
【特許文献１】特開平６−２１７０８４号公報(第４１図  段落「０１０９」)
【特許文献２】特開２００２−２１８１６２号公報（第７図）
【発明の開示】
【発明が解決しようとする課題】
【０００５】
しかしながら、特許文献１に記載のものは、透光性部材３や反射枠８３の膨張収縮にともなう応力を緩和することができるものの、透過性部材３の端面に突出部３ａを形成して入射面とするため、突出部３ａの形状にばらつきが生じたり、押し出し加工時に発生する突出部３ａ表面のくもり現象や表面粗度の影響により入射角度や入射面に対する光透過率が変化し、光束が不安定になるという課題があった。
【０００６】
また、特許文献２に記載のものは、ＬＥＤが発熱しても、放熱部材によって熱が逃げるため、ＬＥＤの温度上昇を抑えられるものの、導光体１０８ｃの端部にＬＥＤ１０８ｂを設けているので温湿度による導光体１０８ｃの膨張収縮により接着剥がれやＬＥＤの破損等の不都合が発生する場合があるという課題があった。
【０００７】
この発明は、上記のような課題を解決するためになされたものであり、環境温度変化にともない照明光学系に変化があっても安定した光束を確保すると共に読み取り品質の高い照明装置及びそれを搭載した画像読取装置を提供することを目的とする。
【課題を解決するための手段】
【０００８】
請求項１の発明に係る照明装置は、光源と、搬送される被照射体の読み取り幅領域の外側に中空部を有し、この中空部の一端に前記光源を収納するホルダーと、このホルダーの前記中空部の他端に端部が挿入され、前記中空部を通過する前記光源からの光を読み取り幅方向に導光する略円柱状の導光路を有する導光体と、この導光体の導光路に沿って光を散乱反射させてから被照射体の照射部に照射する前記導光体の外周面の一部に形成又は密接して設けた光散乱層と、前記中空部を形成する前記ホルダーの壁面とは直接又は間接的に保持され、前記導光体の端部とは直接又は透過性の介在物を介して間接的に接し、膨張収縮による読み取り幅方向の前記導光体の寸法変化に連動し伸縮して光を通過させる弾性部材とを備えたものである。
【０００９】
請求項２の発明に係る照明装置は、前記光源、前記ホルダー、前記弾性部材は、前記導光体の両側に設置されている請求項１に記載のものである。
【００１０】
請求項３の発明に係る照明装置は、前記弾性部材の比誘電率は前記導光体の比誘電率より小さい請求項１又は２に記載のものである。
【００１１】
請求項４の発明に係る照明装置は、前記弾性部材の読み取り幅方向外周は前記導光体の読み取り幅方向外周より小さい請求項１乃至３のいずれか１項に記載のものである。
【００１２】
請求項５の発明に係る照明装置は、前記弾性部材は、透明シリコンゴム材である請求項１乃至４のいずれか１項に記載のものである。
【００１３】
請求項６の発明に係る照明装置は、前記介在物の読み取り幅方向外周は前記導光体の読み取り幅方向外周より小さい請求項１乃至５のいずれか１項に記載のものである。
【００１４】
請求項７の発明に係る照明装置は、前記弾性部材の両側に前記介在物が設置されている請求項１乃至６のいずれか１項に記載のものである。
【００１５】
請求項８の発明に係る照明装置は、前記介在物は非弾性部材である請求項１乃至７のいずれか１項に記載のものである。
【００１６】
請求項９の発明に係る照明装置は、前記介在物は接着剤である請求項１乃至７のいずれか１項に記載のものである。
【００１７】
請求項１０の発明に係る画像読取装置は、光源と、搬送される被照射体の読み取り幅領域の外側に中空部を有し、この中空部の一端に前記光源を収納するホルダーと、このホルダーの前記中空部の他端に端部が挿入され、前記中空部を通過する前記光源からの光を読み取り幅方向に導光する略円柱状の導光路を有する導光体と、この導光体の導光路に沿って光を散乱反射させてから被照射体の照射部に光を照射する前記導光体の外周面の一部に形成又は密接して設けた光散乱層と、前記中空部を形成する壁面とは直接又は間接的に保持され、前記導光体の端部とは直接又は透過性の介在物を介して間接的に接し、膨張収縮による読み取り幅方向の前記導光体の寸法変化に連動し伸縮して光を通過させる弾性部材と、前記照射部で反射した光を収束するレンズ体と、このレンズ体で収束した光を受光する受光部を有するセンサ基板と、前記ホルダー、前記導光体、前記レンズ体、前記センサ基板を収納する筐体とを備えたものである。
【００１８】
請求項１１の発明に係る画像読取装置は、前記導光体の読み取り幅略中央部に突起部を設け、この突起部と前記筐体とを嵌合した請求項１０に記載のものである。
【００１９】
請求項１２の発明に係る画像読取装置は、前記導光体の読み取り幅略中央部に対して対称となる位置にそれぞれ突起部を設け、この突起部と前記筐体とを嵌合した請求項１０に記載のものである。
【発明の効果】
【００２０】
請求項１に記載の照明装置によれば、膨張収縮による読み取り幅方向の導光体の寸法変化に連動して伸縮しながら光を通過させる弾性部材を用いるので、動作温度の変化が大きくとも一定の照度を保ちながら安定した照明が可能になる。
【００２１】
請求項２に記載の照明装置によれば、導光体の両側に光源を設けているので請求項１に記載の効果に加えて照射部への光量が増大し、高輝度の照明が可能となる。
【００２２】
請求項３に記載の照明装置によれば、導光体より弾性部材の比誘電率の方が小さいので導光体端部で光源の照射方向の広がりを防止でき効率良く導光体に光を入射させることができる。
【００２３】
請求項４に記載の照明装置によれば、弾性部材の外周が導光体外周より小さいので、弾性部材と導光体間との光軸のずれが発生しても入射側の断面積が大きいので光が発散することを抑制でき、組み立て時の位置ずれの許容範囲を大きくできる効果がある。
【００２４】
請求項５に記載の照明装置によれば、透明シリコンゴムを適用するのでエポキシ系と比較して柔軟性に優れた弾性部材となり得る。
【００２５】
請求項６に記載の照明装置によれば、介在物の外周が導光体外周より小さいので、介在物と導光体間との光軸のずれが発生しても入射側の断面積が大きいので光が発散することを抑制でき、組み立て時の位置ずれの許容範囲を大きくできる効果がある。
【００２６】
請求項７に記載の照明装置によれば、弾性部材の両側に介在物を設けるので、弾性部材の材質変更などにより弾性力に変化が生じても介在物がジョイントの役目を果たし、導光体やホルダー壁面との密着性を安定した形で固定することができる効果がある。
また、強固に密着する。
【００２７】
請求項８に記載の照明装置によれば、介在物は硬質なので介在物と弾性部材との密着面で変形が生じてもストッパーの役割を果たし、弾性部材の断面形状が介在物の断面形状に矯正され光の入射経路に不要な乱反射の発生にともなう光の伝播損失を軽減する効果がある。
【００２８】
請求項９に記載の照明装置によれば、介在物に接着剤を用いるので弾性部材や導光体との密着性をさらに強化すると共にそれぞれの境界面における局部的な歪や凸凹による空隙の発生を接着剤が覆うので不要な乱反射を抑制でき、透過効率の良い照明が可能になる。
【００２９】
請求項１０に記載の画像読取装置によれば、膨張収縮による読み取り幅方向の導光体の寸法変化に連動して伸縮しながら光を通過させる弾性部材を用いるので、動作温度の変化が大きくとも一定の照度を保ちながら安定した照明が可能になる。
【００３０】
請求項１１に記載の画像読取装置によれば、導光体に突部を設け、突起部を筐体に固定することにより、導光体が膨張収縮しても導光体中央部の位置の変化がないので読み取り幅方向（主走査方向）に亘って均一な線状の照明を確保できる。
【００３１】
請求項１２に記載の画像読取装置によれば、導光体突起部を導光体中央部に対して主走査方向側に対称にそれぞれ設置するので、個々の突起部で生じる不要散乱光を振り分けて分散させるため突起部を設けたことによる均一な照度分布における特異点を除去することが可能となる。
【発明を実施するための最良の形態】
【００３２】
実施の形態１．
この発明の実施の形態１について図面を参照して説明する。図１は実施の形態１による照明装置の概略断面構成図である。図１において、１はＬＥＤチップなどの発光体で構成した光源、２は光源１からの光を読み取り幅方向（主走査方向）に導光する導光路を有する透明なアクリル樹脂やポリカーボネート樹脂またはソーダガラス材などで構成した断面が円(楕円)形状、紡錘状、又はそれらの連結型など略円柱状の導光体である。導光体２は、アクリル樹脂の場合は、比誘電率は３．０〜４．５、ポリカーボネート樹脂の場合は、３．０以上、ガラス材の場合は、５．１程度が好ましい。
【００３３】
３は中空部を有し、中空部の一端側に光源１を設置し、中空部の他端側に導光体２の端部を挿入する黒色や白色のプラスチック材で構成したホルダー、４は導光体２の表面に読み取り幅に亘って構成した光散乱層、５は光源１を載置する基板、６は光源１に電源を供給する端子、７はホルダー３の中空部に収納され、中空部を形成する壁面とは直接又は透過性の部材や接着剤などの介在物を介して間接的に保持され、導光体２の端部とは直接又は透過性の部材や接着剤などの介在物を介して間接的に接し、熱の膨張収縮による読み取り幅方向の導光体２の寸法変化に連動し伸縮して光を通過させるシリコン材などを用いた弾性部材である。なお、少なくとも光源１、導光体２を含む構成を照明光学系（照明装置）と呼ぶ。図中、同一符号は、同一又は相当部分を示す。
【００３４】
図２はこの発明の実施の形態１による画像読取装置の展開構成図である。図２において、８は原稿、紙葉類などの被照射体、９は導光体２から読み取り位置に照射された光を通過させるカバーガラス（透過体）、１０は被照射体８で反射し、透過体９を通過した反射光を集束させるロッドレンズアレイ（レンズ体）、１１はレンズ体１０で収束された反射光を受光する受光部（センサＩＣ）であり、読み取り幅方向に並べられた多数の画素の光電変換信号を順次送出する。１２は受光部１１を載置するセンサ基板、１３はセンサ基板１２の回路部品を駆動する入出力コネクタである。１４は、照明装置、レンズ体１０、センサ基板１２を収納又は保持する筐体である。なお、レンズ体１０、受光部１１を載置したセンサ基板１２を含む構成を読み取り光学系と呼ぶ。図中、図１と同一符号は、同一又は相当部分を示す。
【００３５】
図３は、図２に示す画像読取装置のＡ−Ａ断面図である。図３において、１５は読み取り領域に亘り導光体２から照射された光の読み取り位置における被照射体８に対応する照射部である。１６は被照射体８を搬送するプラテンであり、通常、画像読取装置の外側に配置される。図中、図２と同一符号は、同一又は相当部分を示す。
【００３６】
次に構成について図１〜図３を用いて説明する。読み取り光学系においては、透過体９は筺体１４の上部に設けられ透明平板状の部材である。レンズ体１０は、透過体９下方の筺体１４の内部に読み取り幅方向に沿ってアレイ状に配列される。受光部１１はレンズ体１０の光軸直下に読み取り幅方向に沿って配置され、レンズ体１０で収束された光を検出する。
【００３７】
照明光学系においては、光源１は基板５に実装され、導光体２の端部近傍に配置される。光源１から照射される光束は弾性部材７を介して導光体２に入射される。光散乱層４は、例えば導光体２の表面上に白色顔料等の光反射性の塗料を塗布したものや、導光体２表面自体を粗面加工したもの、鋸歯状のプリズム形状加工、または、ピラミッド状のエンボス形状加工したものとして構成することができる。特にプリズム形状加工やエンボス形状加工で、導光体２の材料が透明樹脂等であれば、導光体２の成型時に一体成形することも可能である。
【００３８】
なお、導光体２自体の読み取り幅方向の照射光強度分布を均一化させるためには、光散乱層４に適切な分布を持たせることも可能である。例えば、プリズム形状加工の場合であれば、読み取り幅方向にプリズム形状の鋸歯密度や幅を変更して読み取り幅方向の照射光強度を調整することができる。
【００３９】
次に動作について説明する。光源１から放出された光は弾性部材７を経て導光体２内に取り込まれ、導光体２内の導光路を伝播する。導光体２内を伝播する光は、導光体２に設けられた光散乱層４に当たり、散乱されて、一部の光が導光体２の光出射面から出射される。導光体２の光出射面から出射された線状の光は照射部１５を照明する。
【００４０】
照射部１５で反射した光は、読み取り幅方向に沿ってアレイ状に配列されたロッドレンズアレイ１０によって、受光部１１に１対１で正像転写され、この受光部１１で電気信号に変換される。これにより、読み取り幅方向、すなわち主走査方向に走査して、画像読みみ取りを行う。
【００４１】
被照射体８は、プラテン１６により原稿などの搬送方向に移動されることから、線状の照射光は、照射部１５では、主走査方向と直交する副走査方向に走査されることとなり、最終的に被照射体８全体の画像を電気信号に変換して読み取ることができる。
【００４２】
次に弾性部材について説明する。弾性部材は耐熱性や耐侯性を考慮して透過率が８０％〜９９％の光透過性を有するシリコン材（シリコンゴム）が適しており、成形加工も容易である。硬度も柔軟性に自由度のあるものが選択できる。比誘電率も透明の場合で２．８〜３．３程度のもので３．０が好ましく、屈折率は１．４程度が好ましい。
【００４３】
図１に示す実施の形態１の照明装置では、弾性部材７を光源１と導光体２の端部端面との間に配置することで、温度上昇による導光体２の伸びを弾力性のある弾性部材７で吸収できるので、あらかじめ導光体２の伸長分の空隙を設定する必要がなく、また、空隙が変化しないので、動作温度によらず一定照度の照明が可能になる。
【００４４】
すなわち、動作温度が常温から８０℃程度まで変化した場合、３００ｍｍ長の樹脂製の導光体の場合、約１ｍｍ程度膨張し、弾性部材７は圧縮されるが、予め計算された伸縮量から弾性部材７の読み取り幅方向のサイズを設定することで弾性部材７の変形による光の損失をほぼ解消できる。
【００４５】
また、弾性部材７は、光源１から照射された光を混合、均一化する効果があり、光源１が導光体２の中心軸からずれた場合でも、主走査方向に照明強度均一な分布を形成できる。その場合、導光体２の端部長手方向断面の大きさは、光源１であるＬＥＤのサイズや装置の小型化などを考慮して、円柱の場合、直径が２〜８ｍｍ、好ましくは３〜６ｍｍ程度が適当である。
【００４６】
また、弾性部材７の外周断面の大きさは、光源１の発光領域の大きさより大きく、導光体２の外周断面よりも小さいことが望ましい。また、必ずしも円柱形状である必要はなく、光源１の発光領域の形状、導光体２の端部形状に合わせて断面が円（楕円）形状、紡錘状、又はそれらの連結型など略円柱状の形状を選択できる。
【００４７】
また、発光領域は図１ではホルダー３に光源１を収納する領域を設けたが、光源１を載置する基板５側にＬＥＤチップやＬＥＤチップを保護する樹脂層（図示せず）の周囲を覆うように壁面を設けても良い。
【００４８】
なお、実施の形態１においては、光源１および弾性部材７は、導光体２の両方の端面に設けるように構成したが、高輝度を必要としない場合、高速読み取りを要求されない画像読取装置にあっては導光体２の一方の端面に設けるように構成しても良い。
【００４９】
また、実施の形態１においては、ロッドレンズアレイ１０の光軸を介して読み取り位置の両側に導光体２を設けたが、被照射体８に対する搬送振れが生じない搬送系を用いた場合には、照射部１５は均一に照明されるのでロッドレンズアレイ１０の光軸を介して読み取り位置の片側にだけ導光体２を設けた画像読取装置でも良い。
【００５０】
実施の形態２．
図４は、この発明の実施の形態２による照明装置の概略断面構成図である。図４において、２０は光透過性の介在物であり、比誘電率が２．８程度のアクリル樹脂、比誘電率が２．９〜３．０程度のポリカーボネート樹脂、アクリル系で屈折率が１．３程度の光学接着剤などを用いる。図４中、図１と同一符号は、同一又は相当部分を示す。また、介在物２０以外の構成および動作については、実施の形態１で記載した内容と同一であるため、以下では説明を省略する。
【００５１】
図４においては実施の形態１と同様に、光源１と導光体２との間に弾性部材７を配置した構成で、さらに光源１と弾性部材７との間に介在物２０を配置した構成である。介在物２０は、導光体２の比誘電率より小さい透明部材で構成され、弾性部材７に密着して接続される。
【００５２】
このように構成された光源１、介在物２０、弾性部材７、および導光体２により、動作温度上昇による導光体２の伸長を弾性部材７で吸収させるが弾性部材７の膨張収縮率が大きいため変形して光源１の領域に接触したり、ホルダー３内壁で歪を生じ保持が不安定になる場合には、この介在物２０を弾性変形を生じない程度の非弾性材とするためアルミナフィラーを混合して高硬度なものとし不都合を防止する。
【００５３】
また、介在物２０を接続した弾性部材７は、弾性部材７を単独で設置した場合と同様に、光源１から照射した光を混合、均一化する効果があり、光源１が導光体２の中心軸からずれた場合でも主走査方向に照明強度均一な分布を形成できる。
【００５４】
したがって、このように構成された介在物２０、弾性部材７と導光体２を備えた照明装置及び画像読取装置においては、実施の形態１同様、動作温度によらず、伝播損失が軽減された一定照度の照明を被照射体８に照射することができる。
【００５５】
なお、介在物２０は、比較的誘電率が小さい透明材質にレジン材や透明接着剤を表面コーティングすることによって硬度の調整を行っても良く接続する部材との界面密着力の強化を図っても良い。また、介在物は透明に限らず、半透明でも良く半濁色であっても相応の効果を奏する。
【００５６】
実施の形態３．
図５は、この発明の実施の形態３による照明装置の概略断面構成図である。図５において、２１は光透過性の介在物である。図５中、図１と同一符号は、同一又は相当部分を示す。また、介在物２１以外の構成および動作については、実施の形態２に記載の内容と同一であるため、以下では説明を省略する。
【００５７】
図５においては実施の形態２と同様に、光源１と導光体２との間に弾性部材７を配置した構成で、さらに光源１と弾性部材７との間に介在物２１を配置した構成である。介在物２１は、導光体２の比誘電率より小さい透明部材で構成され、弾性部材７に密着して接続される。
【００５８】
図５において、実施の形態２と異なるのは、光源１の発光領域に比べ、介在物２１の外周が大きく、さらに弾性部材７の外周は介在物２１の外周より大きく、さらに導光体２の外周は弾性部材７の外周より大きいことである。また、介在物２１の比誘電率や屈折率は弾性部材の比誘電率や屈折率よりも小さく、さらに導光体２の比誘電率や屈折率は弾性部材７の比誘電率や屈折率よりも大きくしていることである。例えば介在物２１の比誘電率を３．０未満、弾性部材７の比誘電率を３．０、導光体２の比誘電率３．０を越す値とすることで光源１から照射された光は導光体２内部で集光された光束となる。
【００５９】
このような構成にすることにより、光源１から放射され、介在物２１に入射された光束を損失なく導光体２まで導くことができる。すなわち、光源１から照射された光束をホルダー３などで消滅させることなく効率的に照射部１５の照明に利用することができる。
【００６０】
実施の形態４．
図６は、この発明の実施の形態４による照明装置の概略断面構成図である。図６において、２２は光透過性の介在物、３０は導光体２の突起部であり、３０ａ、３０ｂは導光体２の中心付近に設置した突起部である。図６中、図１と同一符号は、同一又は相当部分を示す。また、介在物２２、突起部３０以外の構成および動作については、実施の形態２に記載の内容に準ずるため、以下では説明を省略する。
【００６１】
図６においては、主走査方向の導光体略中央部に導光体２の突起部３０ａ、３０ｂを設けた構成としている。
【００６２】
このような構成により、導光体２の突起部３０ａ、３０ｂに相当する位置に筐体１４の内面に導光体２の突起部３０ａ、３０ｂと嵌合する窪みを設けることで、照明装置の動作温度が変化しても導光体２の中央位置が変化することなく保持できる。そのため、導光体２が伸長した場合でも、主走査方向の両側に均等に伸長するので、導光体２の伸長による主走査方向の照度分布の変化を抑制できる。なお、図６では突起部３０は２箇所設けたが１箇所でも照度分布の変化の抑制に関して相応の効果を有する。
【００６３】
その結果、照明装置の動作温度が変化しても主走査方向の照度分布の変化がなく、安定した明るさで画像を読み取ることができる。
【００６４】
実施の形態５．
図７は、この発明の実施の形態５による照明装置の概略断面構成図である。図７において、３１は導光体２の突起部であり、３１ａ、３１ｂは導光体２の中心に対して対象に設置した突起部である。図７中、図６と同一符号は同一又は相当部分を示す。また、突起部３１以外の構成および動作については、実施の形態１に記載の内容に準ずるため、以下では説明を省略する。
【００６５】
図７において、導光体２の突起３１ａ、３１ｂを導光体２中央部に対して主走査方向側に振り分け、対称となる位置に配置する構成としている。
【００６６】
このような構成により、導光体２の突起部３１ａ、３１ｂで導光体２を伝播中の光が散乱され、照射部１５に照射されたとしても、導光体突起部３１ａと３１ｂの主走査方向の位置がずれているため、実施の形態５の図６に示す導光体２の突起部３０ａ、３０ｂよりも散乱光が分散され、主走査方向の照度分布に与える影響は少ない。
【００６７】
以上から実施の形態５によれば、実施の形態４による効果に加え、さらに主走査方向に均一な照度分布を持つ画像読取装置を実現できる。
【００６８】
実施の形態６．
図８は、この発明の実施の形態６による照明装置の概略断面構成図である。図８において、２３は光透過性の介在物である。図８中、図１と同一符号は、同一又は相当部分を示す。また、介在物２３以外の構成および動作については、実施の形態２に記載の内容に準ずるため、以下では説明を省略する。
【００６９】
図８においては、介在物２３はアクリル系の光学接着剤を弾性部材７の両側に塗布し、ホルダー３の内部壁面や導光体２と接続する。
【００７０】
以上から介在物２３は比較的光の伝播方向に薄膜の光学接着剤を用いることにより、弾性部材７界面における他部材との密着を強化することができるので導光体２の大きな熱膨張や収縮があっても安定した導光体２やホルダー３との接続、すなわち固着が可能となり光源１から照射した光の光軸のずれなどを防止できる効果がある。
熱硬化又は常温で適宜
【００７１】
なお、実施の形態１〜６では、照明装置を画像読取装置として用いる場合について説明したが、対象領域を線状に照明する照明装置を備えたその他の装置に用いることも可能である。例えば、プリント基板の検査装置や半導体ウエハの欠陥検査装置などに利用することができ、必要な照明領域に効率良く光を照射することが可能となり、各実施の形態におけるそれぞれの効果と同様の効果を得ることができる。
【図面の簡単な説明】
【００７２】
【図１】この発明の実施の形態１による照明装置概略断面構成図である。
【図２】この発明の実施の形態１による画像読取装置の展開構成図である。
【図３】図２に示す画像読取装置のＡ−Ａ断面図である。
【図４】この発明の実施の形態２による照明装置の概略断面構成図である。
【図５】この発明の実施の形態３による照明装置の概略断面構成図である。
【図６】この発明の実施の形態４による照明装置の概略断面構成図である。
【図７】この発明の実施の形態５による照明装置の概略断面構成図である。
【図８】この発明の実施の形態６による照明装置の概略断面構成図である。
【符号の説明】
【００７３】
１・・光源  ２・・導光体  ３・・ホルダー  ４・・光散乱層(散乱領域)
５・・基板  ６・・端子  ７・・弾性部材  ８・・被照射体  ９・・透過体
１０・・レンズ体（ロッドレンズアレイ）  １１・・受光部（センサＩＣ）
１２・・センサ基板  １３・・コネクタ（入出力コネクタ）  １４・・筐体
１５・・照射部  １６・・プラテン  ２０・・介在物（透過性介在物）
２１・・介在物（透過性介在物）  ２２・・介在物（透過性介在物）
２３・・介在物（光学接着剤）  ３０・・突起部  ３１・・突起部
【図１】
2010103742.tif 000003
【図２】
2010103742.tif 000004
【図３】
2010103742.tif 000005
【図４】
2010103742.tif 000006
【図５】
2010103742.tif 000007
【図６】
2010103742.tif 000008
【図７】
2010103742.tif 000009
【図８】
2010103742.tif 000010